(57)【要約】【課題】通常の紙をラベルの基材として使用しつつ、不正開封を防止できるようにする。【解決手段】下基材２と上基材５とが積層された構造の積層ラベルＬにおいて、下基材２には、裏面にラベル貼付面へ貼り付けられる貼付粘着層１を形成し、表面に複数の分離した閉領域から成る下図柄の印刷層３を形成すると共に、その印刷層３に、離型剤による離型加工を施し、下図柄の印刷層３の輪郭に沿って下基材２及び貼付粘着層１を貫通する切込７を入れ、下基材２と上基材５とを下図柄の印刷層３に被さる中間粘着層４を介して貼り合わせ、下図柄の印刷層３を上基材５で覆い、上基材５の表面に、上図柄の印刷層６を形成したものとする。封緘対象物から引き剥がそうとすると、下図柄の印刷層３の部分が離型加工及び輪郭の切込７により、中間粘着層４から分離し、貼付粘着層１及び下基材２と共にラベル貼付面に残り、それ以外の部分が全て除去される。【選択図】図５
2014055995.tif 000002
【特許請求の範囲】
【請求項１】
下基材(2)と上基材(5)とが積層された構造の積層ラベル(L)において、下基材(2)には、裏面にラベル貼付面へ貼り付けられる貼付粘着層(1)を形成し、表面に複数の分離した閉領域から成る下図柄の印刷層(3)を形成すると共に、その印刷層(3)に、離型剤による離型加工を施し、下図柄の印刷層(3)の輪郭に沿って下基材(2)及び貼付粘着層(1)を貫通する切込(7)を入れ、下基材(2)と上基材(5)とを下図柄の印刷層(3)に被さる中間粘着層(4)を介して貼り合わせ、下図柄の印刷層(3)を上基材(5)で覆い、上基材(5)の表面に、上図柄の印刷層(6)を形成したことを特徴とする積層ラベル。
【発明の詳細な説明】
【技術分野】
【０００１】
この発明は、封緘ラベル等として使用される積層ラベルに関するものである。
【背景技術】
【０００２】
封筒や箱を封緘する封緘ラベルとして、下記特許文献１には、図７に示すように、貼付粘着層５１が裏面に設けられた脆弱フィルム５２の表面に、中間粘着層５３を介して透明な保護フィルム５４が積層されたものが記載されている。この封緘ラベルには、未使用状態において、貼付粘着層５１の裏面に離型紙５５が貼り付けられている。
【０００３】
脆弱フィルム５２は、断片的に散在する合成樹脂フィルム５２ａの表面にデザイン表示部５２ｂを設けたものとされ、中間粘着層５３は、保護フィルム５４と脆弱フィルム５２とを接着力に差をつけて接着する強接着領域５３ａ及び弱接着領域５３ｂを不規則に配置したものとされている。
【０００４】
この封緘ラベルの製造に際しては、離型紙５５の表面に、貼付粘着層５１を介してシート状の合成樹脂フィルム５２ａを貼着し、合成樹脂フィルム５２ａの表面にデザイン表示部５２ｂを印刷する。
【０００５】
その後、貼付粘着層５１及び合成樹脂フィルム５２ａが溶解し、かつ、デザイン表示部５２ｂのインキが溶解しない薬品を投与し、デザイン表示部５２ｂ以外の部分の貼付粘着層５１及び合成樹脂フィルム５２ａを消失させ、デザイン表示部５２ｂに保護フィルム５４を被せて貼着する。
【０００６】
上記封緘ラベルにより、箱等の封緘対象物を封緘する際には、離型紙５５から剥がした封緘ラベルを、封緘部分に貼付粘着層５１の接着力で貼り付ける。
【０００７】
そして、封緘対象物の開封に際して、この封緘ラベルを封緘対象物から引き剥がすと、脆弱フィルム５２の強接着領域５３ａに対面する部分は、保護フィルム５４と共に封緘対象物から引き剥がされ、脆弱フィルム５２の弱接着領域５３ｂに対面する部分は、保護フィルム５４と離れて、封緘対象物の表面に貼り付いたままとなる。
【０００８】
このため、封緘対象物の表面に、脆弱フィルム５２が無秩序に分断された状態で残存することとなり、脆弱フィルム５２を再度貼り付けても、外見上、元の状態に戻すことができず、封緘ラベルが剥がされた履歴を判別することができる。
【先行技術文献】
【特許文献】
【０００９】
【特許文献１】特開２００６−３０１２３６号公報
【発明の概要】
【発明が解決しようとする課題】
【００１０】
しかしながら、上記のような封緘ラベルでは、貼付粘着層５１、脆弱フィルム５２、中間粘着層５３及び保護フィルム５４の材質に制約があるほか、製造時に大量の薬品を必要とし、使用後の薬品や溶解物が廃棄物として発生する問題がある。
【００１１】
そこで、この発明は、通常の紙をラベルの基材として使用しつつ、不正開封を防止できるようにすることを課題とする。
【課題を解決するための手段】
【００１２】
上記のような課題を解決するため、この発明は、下基材と上基材とが積層された構造の積層ラベルにおいて、下基材には、裏面にラベル貼付面へ貼り付けられる貼付粘着層を形成し、表面に複数の分離した閉領域から成る下図柄の印刷層を形成すると共に、その印刷層に、離型剤による離型加工を施し、下図柄の印刷層の輪郭に沿って下基材及び貼付粘着層を貫通する切込を入れ、下基材と上基材とを下図柄の印刷層に被さる中間粘着層を介して貼り合わせ、下図柄の印刷層を上基材で覆い、上基材の表面に、上図柄の印刷層を形成したのである。
【発明の効果】
【００１３】
この発明に係る積層ラベルは、封緘部分のラベル貼付面に貼付粘着層の接着力で貼り付けた封緘状態で、封緘対象物から引き剥がそうとすると、下図柄の印刷層の部分が離型加工及び輪郭の切込により、中間粘着層から分離し、下図柄に対応する貼付粘着層及び下基材と共にラベル貼付面に残り、それ以外の部分が全て除去される。
【００１４】
そして、ラベル貼付面に残存した下図柄の部分は、一度捲ると、元の配置に戻すことができず、不正開封した場合、証拠が残り、本証として機能する。
【００１５】
このように、下図柄の印刷層の離型加工及び輪郭に沿った切込により、不正開封防止機能を実現するので、基材の材料として紙を使用でき、製造工程で樹脂フィルムを薬品で溶解させる等の必要がなく、使用後の薬品や溶解物が廃棄物として発生することもない。
【図面の簡単な説明】
【００１６】
【図１】この発明に係る積層ラベルの使用前の状態を示す斜視図
【図２】同上の製造工程において、（ａ）離型紙に下基材を貼り付けた状態、（ｂ）下基材に下図柄印刷及び離型加工を施して切込を入れた状態、（ｃ）下基材に上基材を積層した状態、（ｄ）上基材に上図柄を印刷した状態をそれぞれ示す断面図
【図３】同上の積層ラベルを離型紙から剥がす過程を示す断面図
【図４】同上の積層ラベルによる封筒の封緘状態を示す図
【図５】同上の下図柄が残る開封過程を示す斜視図
【図６】同上の下図柄が残った状態を示す断面図
【図７】従来の封緘ラベルの使用前の状態を示す断面図
【発明を実施するための形態】
【００１７】
以下、この発明の実施形態を添付図面に基づいて説明する。
【００１８】
図１に示す積層ラベルＬは、封筒の封緘に使用されるものであり、紙製の下基材２と上基材５とが積層された構造とされている。使用前の積層ラベルＬには、裏面に離型紙８が貼り付けられている。
【００１９】
下基材２の裏面には、離型紙８に付着する接着剤の貼付粘着層１が形成され、下基材２の表面には、複数の分離した閉領域の抽象図形から成る下図柄の印刷層３が形成されている。印刷層３には、シリコンニス等の離型剤による離型加工が施され、印刷層３の輪郭に沿って、下基材２及び貼付粘着層１を貫通する切込７が入れられている。
【００２０】
下基材２と上基材５とは、下図柄の印刷層３に被さる接着剤の中間粘着層４を介して貼り合わされ、下図柄の印刷層３が上基材５で覆われている。上基材５の表面には、一例として挙げたものでは、銀色の背景色に「緘」の文字を配した上図柄の印刷層６が形成されている。
【００２１】
この積層ラベルＬの製造に際しては、図２（ａ）に示すように、下基材２を裏面の貼付粘着層１の接着力により離型紙８に貼り付けた状態で、図２（ｂ）に示すように、下基材２の表面に下図柄の印刷層３を形成し、印刷層３に、離型剤による離型加工を施した後、下図柄の印刷層３の輪郭に沿って、切込７を離型紙８に達しないように入れる。
【００２２】
次に、図２（ｃ）に示すように、下図柄の印刷層３に被さる中間粘着層４を介して、下基材２に上基材５を貼り合わせ、図２（ｄ）に示すように、上基材５の表面に、上図柄の印刷層６を形成し、所定の寸法に抜き加工して、不要部分を離型紙８から除去する。
【００２３】
上記のように製造した積層ラベルＬを使用して封筒を封緘する際には、図３に示すように、離型紙８から積層ラベルＬを捲るように剥がす。
【００２４】
このとき、貼付粘着層１の離型紙８に対する接着力は、貼付粘着層１の下基材２に対する接着力よりも弱く、また、中間粘着層４の下基材２（印刷層３の部分を含む）及び上基材５に対する接着力よりも弱いので、積層ラベルＬの全体が離型紙８から剥がれる。
【００２５】
そして、露出した貼付粘着層１の接着力により、図４に示すように、封筒Ｅの本体部１１とフラップ部１２に跨って積層ラベルＬを貼り付けると、通常の封緘ラベルと同様、積層ラベルＬの表面に、上図柄の印刷層６のみが見えた状態となる。
【００２６】
このような封緘状態で、封筒Ｅから積層ラベルＬを引き剥がそうとすると、図５及び図６に示すように、下図柄の印刷層３の部分が離型加工及び輪郭の切込７により、中間粘着層４から分離し、下図柄に対応する貼付粘着層１及び下基材２と共に封筒Ｅに残り、それ以外の部分が全て除去される。
【００２７】
そして、封筒Ｅに残存した下図柄の印刷層３に対応する部分は、一度捲ると、元の配置に戻すことができず、不正開封した場合、証拠が残り、本証として機能する。
【００２８】
このように、上記積層ラベルＬでは、下図柄の印刷層３の離型加工及び輪郭に沿った切込７により、不正開封防止機能を実現するので、下基材２及び上基材５の材料として紙を使用でき、従来例として示した封緘ラベルのように、製造工程で樹脂フィルムを薬品で溶解させる等の必要がなく、使用後の薬品や溶解物が廃棄物として発生することもない。
【００２９】
なお、上記実施形態では、積層ラベルＬとして、封筒の封緘に使用するものを例示したが、この発明に係る積層ラベルは、箱の封緘に使用する封緘ラベルのほか、販売促進キャンペーン用等、種々のラベルとして使用することができる。
【００３０】
また、積層ラベルＬの外形は、図示のような楕円状のもののほか、種々の形状とすることができ、下図柄の印刷層３及び上図柄の印刷層６のデザインも、様々なものとすることができる。
【符号の説明】
【００３１】
Ｌ  積層ラベル
１  貼付粘着層
２  下基材
３  印刷層（下図柄）
４  中間粘着層
５  上基材
６  印刷層（上図柄）
７  切込
８  離型紙
Ｅ  封筒
１１  本体部
１２  フラップ部
【図１】
2014055995.tif 000003
【図２】
2014055995.tif 000004
【図３】
2014055995.tif 000005
【図４】
2014055995.tif 000006
【図５】
2014055995.tif 000007
【図６】
2014055995.tif 000008
【図７】
2014055995.tif 000009